(57)【要約】【課題】様々な大きさの被包装物に適応できる包装装置を提供する。【解決手段】底部及び該底部から上方へ延びて同底部の上方に所定の空間を形成する側部を有する第１の中央構成体と、該第１の中央構成体の前記底部に沿ってスライドする第１の左構成体と、前記第１の中央構成体の前記底部に沿って該第１の左構成体とは反対方向にスライドする第１の右構成体とを有する第１の固定部材と、底部及び該底部から上方へ延びて同底部の上方に所定の空間を形成する側部を有する第２の中央構成体と、該第２の中央構成体の前記底部に沿ってスライドする第２の左構成体と、前記第２の中央構成体の前記底部に沿って該第２の左構成体とは反対方向にスライドする第２の右構成体とを有する第２の固定部材と、被包装物を挟んだ状態の前記第１の固定部材及び前記第２の固定部材を結束する結束部材とを備える包装装置。【選択図】図１
2010208642.tif 000002
【特許請求の範囲】
【請求項１】
底部及び該底部から上方へ延びて同底部の上方に所定の空間を形成する側部を有する第１の中央構成体と、該第１の中央構成体の前記底部に沿ってスライドする第１の左構成体と、前記第１の中央構成体の前記底部に沿って該第１の左構成体とは反対方向にスライドする第１の右構成体とを有する第１の固定部材と、
底部及び該底部から上方へ延びて同底部の上方に所定の空間を形成する側部を有する第２の中央構成体と、該第２の中央構成体の前記底部に沿ってスライドする第２の左構成体と、前記第２の中央構成体の前記底部に沿って該第２の左構成体とは反対方向にスライドする第２の右構成体とを有する第２の固定部材と、
被包装物を挟んだ状態の前記第１の固定部材及び前記第２の固定部材を結束する結束部材とを備える
包装装置。
【請求項２】
被包装物を挟んだ状態の前記第１の固定部材及び前記第２の固定部材との間に配置されると共に伸縮可能に構成された支柱部材を備える
請求項１に記載の包装装置。
【請求項３】
前記支柱部材の両端は、前記第１の固定部材及び前記第２の固定部材に着脱可能に結合される
請求項２に記載の包装装置。
【請求項４】
被包装物を挟んだ状態の前記第１の固定部材と前記第２の固定部材との間に配置されると共に被包装物の一部を受ける凹部が形成された側壁部材を備える
請求項１〜３のいずれか１つに記載の包装装置。
【請求項５】
前記第１の左構成体及び前記第１の右構成体はそれぞれ、底部と、該底部から上方へ延びて同底部の上方に所定の空間を形成する側部とを有し、
前記第２の左構成体及び前記第２の右構成体はそれぞれ、底部と、該底部から上方へ延びて同底部の上方に所定の空間を形成する側部とを有し、
前記底部に面ファスナーで着脱可能に取付けられると共に被包装物の一部を受ける凹部が形成された緩衝部材を備える
請求項１〜４のいずれか１つに記載の包装装置。
【発明の詳細な説明】
【技術分野】
【０００１】
本発明は包装装置に関する。詳しくは、薄く大型のテレビ受像機の包装に適した包装装置に係るものである。
【背景技術】
【０００２】
家電メーカーから出荷されてユーザに至るまでの流通過程において、テレビ受像機、空気調節装置の室外機、冷蔵庫等の家電製品の、倉庫保管、輸送運搬、荷扱い等で発生する、落下、振動、衝撃、積み重ね荷重等から家電製品を保護するため、個別に包装貨物試験条件が定められ、包装品質や物流品質が保たれている。
【０００３】
薄型テレビ受像機の包装については、従来、様々な提案がなされている。例えば特許文献１には、平板形状のプラズマディスプレイを立てた状態で保持する梱包部材を有し、梱包部材は、プラズマディスプレイの上下端部または左右両端部が嵌り込む凹部が形成されると共にプラズマディスプレイを上下または左右から挟み込むように配置される緩衝材からなる緩衝パッドと、緩衝パッドを、プラズマディスプレイを挟む方向に締付ける締結具とを有する梱包装置が記載されている。
【先行技術文献】
【特許文献】
【０００４】
【特許文献１】特開２００４−６７１６１号公報
【発明の概要】
【発明が解決しようとする課題】
【０００５】
しかしながら、特許文献１に記載の梱包装置の場合、ユーザ宅において開梱され、そしてプラズマディスプレイが設置された後は、梱包部材は廃棄（ゴミ）され、その大半は焼却処分されているのが実態である。
また、プラズマディスプレイのような最先端の製品は、１〜２年でモデルチェンジされ、購入から３〜４年後にプラズマディスプレイを包装しようにも包装材を入手できない。
従って、テレビ受像機購入者が万一、引越しせざるを得なくなった場合、引越し業者は、何らかの方法で包装しなければならない。
【０００６】
また、テレビ受像機は、ブラウン管からフラットパネルディスプレイ（ＦＰＤ）に変わったことにより場所を取らなくなったため、ますます大型のテレビ受像機に対する需要が高まっており、また、従来にはなかった、３７インチ、４０インチ、４２インチ、５０インチ、６５インチ等様々なサイズのテレビ受像機が開発されそして販売されている。
また、フラットパネルディスプレイのテレビ受像機は、各社、同じ画面サイズの中でも３〜４種類あり、製品の特性上、類似形状ではあるが、外形や寸法は微妙に異なることにより、種類が非常に多い。
従来の包装装置では、様々な種類のテレビ受像機の包装に適しておらず、繰り返しの使用にも適していなかった。
【０００７】
従って、引越し時のテレビ受像機の包装として考えられる一番簡便な方法は、図３７に示すように、大きな静電防止加工の保護袋１０２に入れ、段ボールシート１０３、板状緩衝材１０４、毛布１０５等でテレビ受像機１０１を包み、そしてＰＰ（ポリプロピレン）バンドやＰＰ（ポリプロピレン）テープ等で結束する方法である。
【０００８】
しかし、このような簡便な包装方法では、荷扱い、トラックへの積み込み等に細心の注意を必要とし、万が一にも包装した物を転倒させたり、落したりした場合、壊れるおそれが多分にあった。
【０００９】
本発明は、以上の点に鑑みて創案されたものであり、様々な大きさの被包装物に適応できる包装装置を提供することを目的とする。
【課題を解決するための手段】
【００１０】
上記の目的を達成するために、本発明の包装装置は、底部及び該底部から上方へ延びて同底部の上方に所定の空間を形成する側部を有する第１の中央構成体と、該第１の中央構成体の前記底部に沿ってスライドする第１の左構成体と、前記第１の中央構成体の前記底部に沿って該第１の左構成体とは反対方向にスライドする第１の右構成体とを有する第１の固定部材と、底部及び該底部から上方へ延びて同底部の上方に所定の空間を形成する側部を有する第２の中央構成体と、該第２の中央構成体の前記底部に沿ってスライドする第２の左構成体と、前記第２の中央構成体の前記底部に沿って該第２の左構成体とは反対方向にスライドする第２の右構成体とを有する第２の固定部材と、被包装物を挟んだ状態の前記第１の固定部材及び前記第２の固定部材を結束する結束部材とを備える。
【００１１】
ここで、底部及び底部から上方へ延びて底部の上方に所定の空間を形成する側部を有する第１の中央構成体と、第１の中央構成体の底部に沿ってスライドする第１の左構成体と、第１の中央構成体の底部に沿って第１の左構成体とは反対方向にスライドする第１の右構成体とを有する第１の固定部材、並びに底部及び底部から上方へ延びて底部の上方に所定の空間を形成する側部を有する第２の中央構成体と、第２の中央構成体の底部に沿ってスライドする第２の左構成体と、第２の中央構成体の底部に沿って第２の左構成体とは反対方向にスライドする第２の右構成体とを有する第２の固定部材によって、被包装物の大きさに合わせて、第１の固定部材及び第２の固定部材それぞれの構成体をスライドさせて包装することができる。
なお、「第１の固定部材」及び「第２の固定部材」というように互いに異なる部材名を用いているが、これらは互いに同じ構造の部材であってもよい。
【００１２】
また、本発明の包装装置が、被包装物を挟んだ状態の第１の固定部材及び第２の固定部材との間に配置されると共に伸縮可能に構成された支柱部材を備える場合、例えば四隅角部に支柱部材を配置して包装装置の安定度を増大させることができると共に、包装装置の積み上げ保管時において安定性が高まり、多段積みが可能となる。また、支柱部材が伸縮可能に構成されているので高さ調整が可能であり、包装装置の共用化が著しく向上し、利用価値が向上する。
【００１３】
また、本発明の包装装置において、支柱部材の両端は、第１の固定部材及び第２の固定部材に着脱可能に結合される場合、例えばネジによって支柱部材を第１の固定部材及び第２の固定部材に結合するので、短時間で結束を行なうことができる。
【００１４】
また、本発明の包装装置が、被包装物を挟んだ状態の第１の固定部材と第２の固定部材との間に配置されると共に被包装物の一部を受ける凹部が形成された側壁部材を備える場合、より安定して包装することができる。
【００１５】
また、本発明の包装装置が、第１の左構成体及び第１の右構成体はそれぞれ、底部と、底部から上方へ延びて底部の上方に所定の空間を形成する側部とを有し、第２の左構成体及び第２の右構成体はそれぞれ、底部と、底部から上方へ延びて底部の上方に所定の空間を形成する側部とを有し、底部に面ファスナーで着脱可能に取付けられると共に被包装物の一部を受ける凹部が形成された緩衝部材を備える場合、より安定して包装することができる。
【発明の効果】
【００１６】
本発明に係る包装装置は、様々な大きさの被包装物に適応できると共に繰り返し使うことができる。
【図面の簡単な説明】
【００１７】
【図１】第１の態様の本発明の包装装置を用いて薄型テレビ受像機を包装した例を説明する概略図である。
【図２】第１の態様の本発明の包装装置の下部中央構成体の一例を示す概略平面図（ａ）と概略側面図（ｂ）である。
【図３】第１の態様の本発明の包装装置の下部右構成体の一例を示す概略平面図（ａ）と概略側面図（ｂ）である。
【図４】下部中央構成体のスリット孔に下部右構成体の逆Ｌ字状突出片を通した状態の一例を示す概略断面図である。
【図５】下部右構成体と下部中央構成体を重ねた状態の一例を示す概略平面図（ａ）と概略側面図（ｂ）である。
【図６】下部右構成体をスライドさせて伸ばした状態の一例を示す概略平面図（ａ）と概略側面図（ｂ）である。
【図７】下部右構成体と下部中央構成体を結合ピンで結合した状態の一例を示す概略断面図である。
【図８】第１の態様の本発明の包装装置の上部固定部材と下部固定部材とを重ねた状態の一例を示す概略図である。
【図９】第１の態様の本発明の包装装置の各部材の位置関係の一例を説明する概略分解図である。
【図１０】下部固定部材にガイドバーを取付けた状態の一例を示す概略図（ａ）と、ガイドバーの一例を示す概略図（ｂ）と、ガイドバーの部分拡大図（ｃ）である。
【図１１】ガイドバーが取付けられる下部固定部材を構成する、下部中央構成体、下部左構成体及び下部右構成体の一例を示す概略図である。
【図１２】ガイドバーが取付けられた下部固定部材をスライドさせた状態を示す概略図である。
【図１３】第２の態様の本発明の包装装置を用いて薄型テレビ受像機を包装した例を説明する概略図である。
【図１４】第２の態様の本発明の包装装置の各部材の位置関係の一例を説明する概略分解図である。
【図１５】第２の態様の本発明の包装装置の上部固定部材と下部固定部材をスライドさせて伸ばした状態の一例を説明する概略図である。
【図１６】第３の態様の本発明の包装装置を用いて薄型テレビ受像機を包装した例を説明する概略図である。
【図１７】スライド支柱の一例を示す概略図である。
【図１８】図１７のスライド支柱の概略分解図である。
【図１９】結合部材の動作を説明する概略図である。
【図２０】第４の態様の本発明の包装装置を用いて薄型テレビ受像機を包装した例を説明する概略図である。
【図２１】第４の態様の本発明の包装装置の上部固定部材と下部固定部材をスライドさせて伸ばした状態の一例を説明する概略図である。
【図２２】第４の態様の本発明の包装装置の下部右構成体をスライドさせて伸ばした状態の一例を示す概略平面図（ａ）と概略側面図（ｂ）である。
【図２３】第５の態様の本発明の包装装置を用いて薄型テレビ受像機を包装した例を説明する概略図である。
【図２４】スライド支柱の他の例を示す概略図である。
【図２５】図２４のスライド支柱の概略分解図である。
【図２６】取付部材の概略斜視図と概略正面図である。
【図２７】第６の態様の本発明の包装装置を用いて薄型テレビ受像機を包装した例を説明する概略図である。
【図２８】第６の態様の本発明の包装装置の各部材の位置関係の一例を説明する概略分解図である。
【図２９】第６の態様の本発明の包装装置の下部固定部材を構成する、下部中央構成体、下部左構成体及び下部右構成体の一例を示す概略図である。
【図３０】第７の態様の本発明の包装装置を用いて薄型テレビ受像機を包装した例を説明する概略図である。
【図３１】第８の態様の本発明の包装装置を用いて薄型テレビ受像機を包装した例を説明する概略図である。
【図３２】第６〜８の態様の本発明の包装装置の上部固定部材と下部固定部材とを重ねた状態の一例を示す概略図である。
【図３３】第６〜８の態様の本発明の包装装置の下部固定部材に、ウレタンフィルムが貼られた緩衝部材を取付けた状態の一例を示す概略図である。
【図３４】第９の態様の本発明の包装装置を用いて薄型テレビ受像機を包装した例を説明する概略図である。
【図３５】第１の態様の本発明の包装装置を用いて２つの薄型テレビ受像機を包装した例を説明する概略図である。
【図３６】図３５の包装装置の各部材の位置関係の一例を説明する概略分解図である。
【図３７】従来の簡便な包装方法を示す概略図である。
【発明を実施するための形態】
【００１８】
以下、本発明の実施の形態について図面を参照しながら説明し、本発明の理解に供する。
図１は、第１の態様の本発明の包装装置を用いて薄型テレビ受像機を包装した例を説明する概略図である。図１に示すように、本発明の包装装置１は、被包装物である薄型テレビ受像機２を緩衝固定する複数の緩衝部材（下部左緩衝部材６、下部中央緩衝部材７及び下部右緩衝部材８）がそれぞれ底部に面ファスナーで着脱可能に取付けられた下部固定部材（第１の固定部材の一例である。）３と、複数の緩衝部材（図示せず。）がそれぞれ底部に面ファスナーで着脱可能に取付けられた上部固定部材（第２の固定部材の一例である。）４と、薄型テレビ受像機２を上下から挟んだ状態の下部固定部材３及び上部固定部材４を結束する結束バンド（結束部材の一例である。）５とを備える。
また、下部固定部材３は、底部及び底部から上方へ延びて底部の上方に所定の空間を形成する側部を有する下部中央構成体３Ａと、下部中央構成体３Ａの底部に沿ってスライドする下部左構成体３Ｂと、下部中央構成体３Ａの底部に沿って下部左構成体３Ｂとは反対方向にスライドする下部右構成体３Ｃとを有する。
また、上部固定部材４は、底部及び底部から上方へ延びて底部の上方に所定の空間を形成する側部を有する上部中央構成体４Ａと、上部中央構成体４Ａの底部に沿ってスライドする上部左構成体４Ｂと、上部中央構成体４Ａの底部に沿って上部左構成体４Ｂとは反対方向にスライドする上部右構成体４Ｃとを有する。
【００１９】
図２は、第１の態様の本発明の包装装置の下部中央構成体の一例を示す概略平面図（ａ）と概略側面図（ｂ）である。下部中央構成体３Ａは、図２（ａ）に示すように、下部中央構成体の底板９に貫通孔１１と、貫通孔１１に繋がったスリット孔１２が複数形成される。貫通孔１１の幅はスリット孔１２の幅よりも大きい。
また、下部中央構成体の底板９の略中央には、十字形の凹部１０が形成される。さらに、底板９から上方へ延びて底板９の上方に所定の空間を形成する側板１３の略中央領域は、若干、隆起している。
また、図２（ｂ）に示すように、下部中央構成体の側板１３の上縁に沿って、雌型面ファスナー１４が取付けられたスライド固定部材１５が取付けられている。また、スライド固定部材１５は折り曲げ可能に構成されている。
【００２０】
図３は、第１の態様の本発明の包装装置の下部右構成体の一例を示す概略平面図（ａ）と概略側面図（ｂ）である。図３（ａ）に示すように、下部右構成体３Ｃの底板１６には、逆Ｌ字状突出片１７が取付けられており、また、下部右構成体３Ｃは、底板１６から上方へ延びて底板１６の上方に所定の空間を形成する側板１８と妻板１８Ａを有する。
また、図３（ｂ）に示すように、下部右構成体の側板１８の外側表面には、雄型面ファスナー１９が取付けられている。
【００２１】
図４は、下部中央構成体のスリット孔に下部右構成体の逆Ｌ字状突出片を通した状態の一例を示す概略断面図である。図４に示すように、下部右構成体３Ｃの内側に下部中央構成体３Ａを配置し、下部中央構成体３Ａの底板９に形成されたスリット孔１２に、下部右構成体３Ｃの逆Ｌ字状突出片１７を嵌合する。
【００２２】
図５は、下部右構成体と下部中央構成体を重ねた状態の一例を示す概略平面図（ａ）と概略側面図（ｂ）である。図５（ａ）に示すように、下部中央構成体３Ａは、下部右構成体３Ｃの内側に配置され、下部右構成体３Ｃの逆Ｌ字状突出片１７は、下部中央構成体３Ａの底板９に形成された貫通孔１１に通されて、下部右構成体３Ｃと下部中央構成体３Ａが重ねられる。
また、図５（ｂ）に示すように、雌型面ファスナー１４が取付けられたスライド固定部材１５の位置に対応して、下部右構成体３Ｃの外側表面に取付けられた雄型面ファスナー１９が位置する。
また、下部左構成体３Ｂも、下部右構成体３Ｃと同様に下部中央構成体３Ａと重ねられる。
また、上部左構成体４Ｂや上部右構成体４Ｃも、これと同様に上部中央構成体４Ａと重ねられる。
【００２３】
図６は、下部右構成体をスライドさせて伸ばした状態の一例を示す概略平面図（ａ）と概略側面図（ｂ）である。図６（ａ）に示すように、下部右構成体３Ｃをスライドさせると、下部右構成体３Ｃの逆Ｌ字状突出片１７は、下部中央構成体３Ａの底板９に形成されたスリット孔１２に沿って、スリット孔１２の端部まで移動する。図６に示す状態が、最大限に下部固定部材を伸ばした状態である。そして、伸びた状態の下部固定部材がスライドして収縮しないように、スライド固定部材１５を折り曲げて、スライド固定部材１５の雌型面ファスナー１４と下部右構成体３Ｃの外側表面に取付けられた雄型面ファスナー１９とを接触させて、下部右構成体３Ｃを固定する。
また、下部左構成体３Ｂも、下部右構成体３Ｃとは反対方向であるが、同様にスライドし固定される。
また、上部左構成体４Ｂや上部右構成体４Ｃも、これと同様にスライドし固定される。
【００２４】
図７は、下部右構成体と下部中央構成体を結合ピンで結合した状態の一例を示す概略断面図である。図７に示すように、重ねた状態の下部中央構成体３Ａと下部右構成体３Ｃが容易に離れないように、下部中央構成体３Ａ側からストッパー２１を貫通孔１１やスリット孔１２等に取付け、さらに、下部右構成体３Ｃの底板１６に形成された孔から結合ピン２０を入れると共にストッパー２１に結合ピン２０を差し込んで下部中央構成体３Ａと下部右構成体３Ｃを結合させる。なお、このように結合した状態でも、結合ピン２０やストッパー２１はスリット孔１２に沿って移動できるので、下部右構成体３Ｃはスライド可能である。
【００２５】
図８は、第１の態様の本発明の包装装置の上部固定部材と下部固定部材とを重ねた状態の一例を示す概略図である。この状態で例えば結束バンド等により上部固定部材４と下部固定部材３とを結束しておけば、持ち運びが容易となる。
【００２６】
図９は、第１の態様の本発明の包装装置の各部材の位置関係の一例を説明する概略分解図である。図９に示すように、上部固定部材４の底部即ち、上部中央構成体４Ａ、上部左構成体４Ｂ及び上部右構成体４Ｃそれぞれの底部には、上部中央緩衝部材２３、上部左緩衝部材２２及び上部右緩衝部材２４が、面ファスナーによって着脱可能に取付けられる。
また、下部固定部材３即ち、下部中央構成体３Ａ、下部左構成体３Ｂ及び下部右構成体３Ｃそれぞれの底部には、雄型面ファスナー１９が貼り付けられており、下部中央緩衝部材７、下部左緩衝部材６及び下部右緩衝部材８それぞれの底面に貼り付けられた雌型面ファスナー（図示せず。）と結合して、下部中央緩衝部材７、下部左緩衝部材６及び下部右緩衝部材８が着脱可能に取付けられる。
また、各緩衝部材には、薄型テレビ受像機２のフレームを収納する収納部２５が形成されている。
また、下部固定部材３の側部に沿って、薄型テレビ受像機２の説明書等が入れられた付属箱２６が、付属箱固定片２６Ａによって固定される。
また、これら緩衝部材は、発泡スチロールより格段に耐久性が高い、発泡ポリエチレンや発泡ポリプロピレンによって構成される。
【００２７】
図１０は、下部固定部材にガイドバーを取付けた状態の一例を示す概略図（ａ）と、ガイドバーの一例を示す概略図（ｂ）と、ガイドバーの部分拡大図（ｃ）である。
図１０（ａ）に示すように、下部固定部材３の外側角部には、窪み部３０が形成され、窪み部３０に対応する下部固定部材３の内側隅部には膨出部３１が隆起している。
また、図１０（ｂ）に示すように、ガイドバー３４は、円筒状のガイドバー本体３４Ａと、ガイドバー本体３４Ａ内に通されるパイプ３４Ｂと、パイプ３４Ｂの端部に取付けられた摘み部３４Ｃとを備える。
また、図１０（ｃ）に示すように、摘み部３４Ｃが取付けられた端部とは反対側のパイプ３４の端部に、回転によってロック解除またはロックを行なうことができる回転ロック部３４Ｄが取付けられている。
また、図１０（ａ）に示すように、下部左構成体３Ｂ及び下部右構成体３Ｃにはそれぞれ、ガイドバー３４が通されるガイドバー取付部２７が設けられている。また、ガイドバー３４は、下部中央構成体３Ａに設けられたガイドバー取付部２９にも通される。
そして、ガイドバー３４のパイプ３４Ｂは、膨出部３１に形成されたスライド孔３２に通されて、摘み部３４Ｃは窪み部３０において露出される。
【００２８】
図１１は、ガイドバーが取付けられる下部固定部材を構成する、下部中央構成体、下部左構成体及び下部右構成体の一例を示す概略図である。図１１に示すように、下部中央構成体３Ａの底板９と側板１３が交差する角部に角孔２８が形成され、また、ガイドバー３４が通されるガイドバー取付部２９が、下部中央構成体３Ａの底板９と側板１３にアーチ状に架設される。
また、ガイドバー３４が通されるガイドバー取付部２７が、下部右構成体３Ｃの底板１６と側板１８にアーチ状に架設される。また、ガイドバー取付部２７は、下部中央構成体３Ａと下部右構成体３Ｃとを重ねたときに、角孔２８に通される。また、下部左構成体３Ｂにも、同様にガイドバー取付部２７が架設される。
また、膨出部３１には、ガイドバー３４のパイプ３４Ｂが通されるスライド孔３２が形成され、スライド孔３２の位置は、ガイドバー３４が通されるガイドバー取付部２７の空間の位置と略同一線上にある。また、下部左構成体３Ｂにも、同様に膨出部にスライド孔が形成される。
【００２９】
図１２は、ガイドバーが取付けられた下部固定部材をスライドさせた状態を示す概略図である。ガイドバー３４の摘み部３４Ｃを摘んで回転させてロックを解除すると、ガイドバー本体３４Ａ内に挿入されたパイプ３４Ｂがスライド可能になり、パイプ３４Ｂをガイドバー本体３４Ａから出す方向にスライドさせると、下部右構成体３Ｃに設けられたガイドバー取付部２７がガイドバー本体３４Ａに沿ってスライドし、よって、下部右構成体３Ｃがスライドすることになる。また、下部左構成体３Ｂも、これと同様にスライドする。
【００３０】
図１３は、第２の態様の本発明の包装装置を用いて薄型テレビ受像機を包装した例を説明する概略図である。図１３において、図１〜１２に示した部材と同じ部材は、同じ符号を付して説明を省略する。
図１３に示すように、包装装置１は、被包装物である薄型テレビ受像機２を挟んだ状態の下部固定部材３と上部固定部材４との間に配置される略Ｕ字状スリーブ（側壁部材の一例である。）３５を備える。
【００３１】
図１４は、第２の態様の本発明の包装装置の各部材の位置関係の一例を説明する概略分解図である。図１４において、上部固定部材４の妻板（上部左構成体４Ｂの妻板や上部右構成体４Ｃの妻板）に対応する位置に配置される略Ｕ字状スリーブ３５の一部に、折り曲げ可能な折曲片３６が形成されている。また、折曲片３６は、折り曲げられた状態で上部固定部材４内に収納され、直立した薄型テレビ受像機２のフレームと係合し支える凹部３７が形成されている。包装装置１が、このような略Ｕ字状スリーブ３５を備える点以外は、図１４に示す包装装置は、図９に示す第１の態様の包装装置と同じである。
【００３２】
図１５は、第２の態様の本発明の包装装置の上部固定部材と下部固定部材をスライドさせて伸ばした状態の一例を説明する概略図である。図１５に示す包装装置の上部固定部材や下部固定部材をスライドさせる方法は、第１の態様の包装装置の上部固定部材や下部固定部材をスライドさせる方法と同じである。
【００３３】
図１６は、第３の態様の本発明の包装装置を用いて薄型テレビ受像機を包装した例を説明する概略図である。また、図１７は、スライド支柱の一例を示す概略図である。また、図１８は、図１７のスライド支柱の概略分解図である。また、図１９は、結合部材の動作を説明する概略図である。なお、図１６において、図１〜１５に示した部材と同じ部材は、同じ符号を付して説明を省略する。
【００３４】
図１６に示す包装装置１は、図１に示された包装装置の下部固定部材３と上部固定部材４の間にスライド支柱（支柱部材の一例である。）３８を装着したものであり、スライド支柱３８の一端は、下部固定部材３の側板や妻板と、左右の緩衝部材とに挟まれて、下部固定部材３の四隅において起立して装着され、また、スライド支柱３８の他端は、上部固定部材４の側板や妻板と、左右の緩衝部材とに挟まれて、上部固定部材４の四隅に装着される。
【００３５】
また、スライド支柱３８は、図１７に示すように、支柱本体３９と、スライドパイプ４０と、結合部材４１の３つの部材で構成され、支柱本体３９の内側にスライドパイプ４０が嵌り込み、結合部材４１の操作でスライドパイプ４０が上下に動く。
また、支柱本体３９は、中空の角パイプであり、２つの側面に波形２段の凹部４２が形成され、一方の端部に、結合部材４１の結合ピン４３が挿入される結合孔４４が形成されている。
【００３６】
また、スライドパイプ４０は、支柱本体３９の中でスライドさせるため、支柱本体３９の内側形状に合わせて、２つの側面に波形２段の凹部４５が形成され、結合部材４１の結合ピン４３が摺動する複数の貫通孔４６が等間隔で形成されている。
【００３７】
また、結合部材４１は、第１の結合枠４７と第２の結合枠４８の２段状であり、結合ピン４３が取付けられた面と対向する面に切欠き部４９が形成された構造である。また、第１の結合枠４７の結合ピン４３が、支柱本体３９の結合孔４４に挿入されて固定される。
また、第２の結合枠４８の対向する２つの内側面には、スライドパイプ４０の波形２段の凹部４５に係合する波形１段の凸部５０が形成されている。
また、支柱本体３９に固定された結合部材４１の第２の結合枠４８内と支柱本体３９内にスライドパイプ４０が挿入されて、スライド支柱３８が完成する。
【００３８】
また、スライド支柱３８の上下への伸縮は、図１９に示すように、結合部材４１を押したり戻したりする操作で、結合ピン４３が、支柱本体３９の結合孔４４を介して、スライドパイプ４０の貫通孔４６に挿入されたり若しくは貫通孔４６から抜き出されたりすることで、ストップとスライドを可能としている。この「押す」「戻す」という規制は、支柱本体３９及びスライドパイプ４０に形成された波形２段の凹部（４２、４５）と、結合部材４１に形成された波形１段の凸部５０が摺動することによって機能するものである。
【００３９】
また、スライド支柱３８は３つの部材で構成されており、支柱本体３９にスライドパイプ４０が嵌り込み、取付けられた結合部材４１を押したり戻したりする操作で、スライドパイプ４０を支柱本体３９から伸縮させる。
即ち、図１８に示す支柱本体３９に取付けられた結合部材４１を押したり戻したりする操作で、結合部材４１の第１の結合枠４７と、第２の結合枠４８の内側に形成された波形１段の凸部５０とが前後にスライドし、その結果、第１の結合枠４７の内側に取付けられた結合ピン４３が、スライドパイプ４０の貫通孔４６に「出入」し、かつ、波形１段の凸部５０が支柱本体３９の波形２段の凹部４２とスライドパイプ４０の波形２段の凹部４５とに係合する。
従って、結合ピン４３がスライドパイプ４０の貫通孔４６から出ているときは、スライドパイプ４０がスライド可能であり、結合ピン４３がスライドパイプ４０の貫通孔４６に入っているときは、スライドパイプ４０はスライド不可となる。
【００４０】
被包装物である薄型テレビ受像機２は、年々厚みが薄くなっており、その種類も多くなってきている。また、薄型テレビ受像機２の厚みが薄くなるほど、製品の強度も弱くなり、かつ包装装置の安定性も悪くなる。特に上部固定部材は受け面積が小さく、容易にグラグラしてしまう。
そこで、図１６に示すように、本発明の包装装置１の四隅にスライド支柱３８を取付けることで、包装装置１をより強固にすることができ、また、スライド支柱３８自体を掴んで包装装置１を持ち運ぶことでより安全に運ぶことができ、さらに、包装装置１同士を積み上げることもできる。また、四隅のスライド支柱３８によって、他の製品が、包装されたテレビ受像機に当たりにくくなる。
【００４１】
図２０は、第４の態様の本発明の包装装置を用いて薄型テレビ受像機を包装した例を説明する概略図である。また、図２１は、第４の態様の本発明の包装装置の上部固定部材と下部固定部材をスライドさせて伸ばした状態の一例を説明する概略図である。なお、図２０及び図２１において、図１〜１９に示した部材と同じ部材は、同じ符号を付して説明を省略する。
図２０に示された包装装置１は、両端に取付キー５２を有するスライド支柱を備え、このスライド支柱が薄型テレビ受像機２を挟んだ状態の下部固定部材３及び上部固定部材４を結束するので、この場合、スライド支柱が結束部材として機能する。また、図２０に示された包装装置１の下部固定部材３（下部左構成体３Ｂ及び下部右構成体３Ｃ）と、上部固定部材４（上部左構成体４Ｂ及び上部右構成体４Ｃ）とには、取付キー５２が通される結合穴が形成された凹部５１がそれぞれ４箇所形成されている。その他の点は、図１３に示された包装装置と同じである。
【００４２】
略Ｕ字状スリーブ３５と、取付キー５２を有するスライド支柱を一体に固定したことにより、薄く倒れ易い薄型テレビ受像機２のフレームを略Ｕ字状スリーブ３５の折曲片に形成された凹部で受け、薄型テレビ受像機２の両側に配置された略Ｕ字状スリーブ３５が薄型テレビ受像機２を支えることで、転倒防止を図ることができる。
さらに、スライド支柱が薄型テレビ受像機２を挟んだ状態の下部固定部材３及び上部固定部材４を結束するので、下部固定部材３及び上部固定部材４も一体となり、包装装置１の安定感がより一層増す。また、略Ｕ字状スリーブ３５は、折畳むことができ、例えば下部固定部材３の緩衝部材上に収納できる。
【００４３】
図２２は、第４の態様の本発明の包装装置の下部右構成体をスライドさせて伸ばした状態の一例を示す概略平面図（ａ）と概略側面図（ｂ）である。図２２（ａ）に示すように、下部中央構成体３Ａは、下部右構成体３Ｃの内側に配置され、下部右構成体３Ｃの逆Ｌ字状突出片１７は、下部中央構成体３Ａの底板９に形成された貫通孔１１に通されて、下部右構成体３Ｃと下部中央構成体３Ａが重ねられる。また、下部右構成体３Ｃの凹部５１の位置に対応する内側の位置には、膨出部３１が隆起しており、膨出部３１には結合穴３３が形成されている。
【００４４】
図２３は、第５の態様の本発明の包装装置を用いて薄型テレビ受像機を包装した例を説明する概略図である。また、図２４は、スライド支柱の他の例を示す概略図である。また、図２５は、図２４のスライド支柱の概略分解図である。また、図２６は、取付部材の概略斜視図と概略正面図である。図２３において、図１〜２２に示した部材と同じ部材は、同じ符号を付して説明を省略する。
図２３に示すように、下部固定部材３（下部左構成体３Ｂと下部右構成体３Ｃ）及び上部固定部材４（上部左構成体４Ｂと上部右構成体４Ｃ）それぞれの四隅角部には、結合穴が形成された窪み部３０が形成されている。
また、結合穴それぞれに取付キー５２を通すと共に、スライドパイプ４０の端部及び支柱本体３９の端部にそれぞれネジ５６Ａによって取付けられた取付部材５５の取付部材本体５６に形成されたネジ穴５７に取付キー５２を挿入し、スライド支柱３８を下部固定部材３及び上部固定部材４に着脱可能に取付ける構成である。
【００４５】
また、取付キー５２は、摘み部５８と、ネジ部５９と、係合部６０からなり、取付部材本体５６に形成されたネジ穴５７にネジ部５９を挿入し、回転させて取付キー５２を取付ける。
また、係合部６０は四角柱であり、その先端は半球状である。また、係合部６０の四角柱の幅は、２本の突出片６３間の間隔と略同じである。このような構成により、取付キー５２の摘み部５８を４５°回すと、２本の突出片６３に四角柱の角が当たって２本の突出片６３が押し広げられ、さらに４５°回すと２本の突出片６３が元に戻り四角柱がロックされ、回転が一旦止まる。
【００４６】
また、取付キー５２は、取付部材５５の内側面に取付けられた２本の突出片６３の間に係合し、取付キー５２の９０°回転で軽くロックし、締め付けを繰り返すことができる機能が取付部材５５に付与されている。従って、図２３に示すように、被包装物である薄型テレビ受像機２を挟んだ下部固定部材３及び上部固定部材４それぞれの四隅角部に形成された結合穴に、高さ調整されたスライド支柱３８の端部の取付キー５２を通して接続し、包装装置１の四隅角部にスライド支柱３８を設置する。
【００４７】
また、取付キー５２が、ネジ回転で９０°回るごとに一旦ロックする構造であり、ネジで締め付けることにより、下部固定部材３と上部固定部材４を一体化させる。従って、４つのスライド支柱３８の高さを、薄型テレビ受像機２の高さに合わせて調整し、４つのスライド支柱３８を下部固定部材３及び上部固定部材４に取付けて一体化し、荷扱い、保管、輸送等に適した包装装置となる。
【００４８】
図２７は、第６の態様の本発明の包装装置を用いて薄型テレビ受像機を包装した例を説明する概略図である。また、図２８は、第６の態様の本発明の包装装置の各部材の位置関係の一例を説明する概略分解図である。また、図２９は、第６の態様の本発明の包装装置の下部固定部材を構成する、下部中央構成体、下部左構成体及び下部右構成体の一例を示す概略図である。
図２７〜２９において、図１〜２６に示した部材と同じ部材は、同じ符号を付して説明を省略する。
図２７に示すように、上部左構成体４Ｂと上部中央構成体４Ａ、並びに上部右構成体４Ｃと上部中央構成体４Ａは、結合具６４によって結合されている。また、下部左構成体３Ｂと下部中央構成体３Ａ、並びに下部右構成体３Ｃと下部中央構成体３Ａも同様に、結合具６４によって結合されている。
図２８に示すように、下部左緩衝部材６、下部右緩衝部材８、上部左緩衝部材２２、上部中央緩衝部材２３及び上部右緩衝部材２４は一部が大きく切り欠かれており、薄型テレビ受像機２のフラットパネルディスプレイ部の奥行き長さに応じて様々な間隔保持材６６を用い、緩衝部材と薄型テレビ受像機２との間に隙間が生じないようにする。また、薄型テレビ受像機２が載せられる各緩衝部材の面には雄型面ファスナー１９が取付けられており、間隔保持材６６の底面に貼付けられた雌型面ファスナー１４と結合する。
また、各構成体の側板や底板には、結合孔６５が形成されており、結合具６４が結合孔６５に通されて、各構成体同士を結合する。
【００４９】
また、図２９に示すように、下部中央構成体３Ａ、下部左構成体３Ｂ及び下部右構成体３Ｃそれぞれの底板や側板には、結合孔６５が形成され、結合孔６５に結合具６４が通されて各構成体同士を結合するが、スライドさせるときは、結合具６４を結合孔６５から抜き出し、各構成体の位置を変えてから再度、結合具６４を結合孔６５に挿入して、各構成体同士を結合する。
【００５０】
図３０は、第７の態様の本発明の包装装置を用いて薄型テレビ受像機を包装した例を説明する概略図である。図３０において、図１〜２９に示した部材と同じ部材は、同じ符号を付して説明を省略する。
図３０に示すように、板状の保護部材６７が、薄型テレビ受像機２を挟んだ状態の上部中央構成体４Ａと下部中央構成体３Ａの間に装着され、薄型テレビ受像機２の画面を保護する。
また、図２７に示す包装装置と異なり、略Ｕ字状スリーブの代わりに、下部固定部材３の四隅及び上部固定部材４の四隅にスライド支柱３８が装着される。
【００５１】
図３１は、第８の態様の本発明の包装装置を用いて薄型テレビ受像機を包装した例を説明する概略図である。また、図３２は、第６〜８の態様の本発明の包装装置の上部固定部材と下部固定部材とを重ねた状態の一例を示す概略図である。図３１において、図１〜３０に示した部材と同じ部材は、同じ符号を付して説明を省略する。
図３１に示す包装装置１は、図２７に示す包装装置にさらに板状の保護部材６７を、薄型テレビ受像機２を挟んだ状態の上部中央構成体４Ａと下部中央構成体３Ａの間に装着し、下部固定部材３及び上部固定部材４をスライドさせて伸ばしたものである。なお、結束部材は図示していない。
【００５２】
図３３は、第６〜８の態様の本発明の包装装置の下部固定部材に、ウレタンフィルムが貼られた緩衝部材を取付けた状態の一例を示す概略図である。図３３に示すように、下部右緩衝部材８に形成された収納部２５を覆うようにウレタンフィルム６８が下部右緩衝部材８に貼られる。ウレタンフィルム６８を貼ることで、緩衝部材の緩衝性が向上すると共に、下部右緩衝部材８の収納部２５を、薄型テレビ受像機２のフレームの最大サイズに合わせて形成することで、ウレタンフィルム６８との緩衝と固定を共有することとなり、フレーム寸法に関係なく収納し固定することが可能である。
また、下部左緩衝部材６や下部右緩衝部材８それぞれの、収納部２５が形成された上面は、下部固定部材のスライド方向で傾斜面を内側に向けて傾斜しているので、調整と固定が可能となる。
また、下部左緩衝部材６についても同様にウレタンフィルム６８を貼る。なお、下部左緩衝部材６及び下部右緩衝部材８の一方の上面が傾斜していれば、調整と固定が可能となる。
【００５３】
図３４は、第９の態様の本発明の包装装置を用いて薄型テレビ受像機を包装した例を説明する概略図である。図３４に示す包装装置１は、図２７に示す包装装置にさらに板状の保護部材６７を、薄型テレビ受像機２を挟んだ状態の上部中央構成体４Ａと下部中央構成体３Ａの間に装着し、両端に取付キー５２を有する略Ｕ字状スリーブ３５を備え、さらに下部左構成体３Ｂの底板の外側表面、下部右構成体３Ｃの底板の外側表面、上部左構成体４Ｂの底板の外側表面及び上部右構成体４Ｃの底板の外側表面に、台部６９が取付けられたものである。
また、下部固定部材３の表面や上部固定部材４の表面から出ている取付キー５２の高さよりも、台部６９の高さの方が高い。そのため、下部固定部材３もしくは上部固定部材４を下にして包装装置１を地面に置いても、取付キー５２が地面と接触することはなく、台部６９によって包装装置１は支えられる。
また、図３４に示す包装装置１の下部固定部材３（下部左構成体３Ｂ及び下部右構成体３Ｃ）と、上部固定部材４（上部左構成体４Ｂ及び上部右構成体４Ｃ）とには、取付キー５２が通される結合穴３３が形成され、略Ｕ字状スリーブ３５が、薄型テレビ受像機２を挟んだ状態の下部固定部材３及び上部固定部材４を結束する。
【００５４】
図３５は、第１の態様の本発明の包装装置を用いて２つの薄型テレビ受像機を包装した例を説明する概略図である。また、図３６は、図３５の包装装置の各部材の位置関係の一例を説明する概略分解図である。図３５及び図３６において、図１〜３４に示した部材と同じ部材は、同じ符号を付して説明を省略する。
図３６に示すように、各緩衝部材には、薄型テレビ受像機２のフレームを受ける収納部２５が略平行に２つ形成されており、下部固定部材３の側部に沿って、薄型テレビ受像機２の説明書等が入れられた２つの付属箱２６が、付属箱固定片２６Ａによって固定される。
【００５５】
以上のように、下部固定部材３は、底部及び底部から上方へ延びて底部の上方に所定の空間を形成する側部を有する下部中央構成体３Ａと、下部中央構成体３Ａの底部に沿ってスライドする下部左構成体３Ｂと、下部中央構成体３Ａの底部に沿って下部左構成体３Ｂとは反対方向にスライドする下部右構成体３Ｃとを有し、上部固定部材４は、底部及び底部から上方へ延びて底部の上方に所定の空間を形成する側部を有する上部中央構成体４Ａと、上部中央構成体４Ａの底部に沿ってスライドする上部左構成体４Ｂと、上部中央構成体４Ａの底部に沿って上部左構成体４Ｂとは反対方向にスライドする上部右構成体４Ｃとを有するので、薄型テレビ受像機２の大きさに合わせて、下部固定部材３及び上部固定部材４それぞれの構成体をスライドさせて薄型テレビ受像機２を包装することができ、様々な大きさの薄型テレビ受像機２に適応できる。
【００５６】
また、薄型テレビ受像機２を挟んだ状態の下部固定部材３と上部固定部材４の間にスライド支柱３８が配置されるので、四隅角部にスライド支柱３８を配置して包装装置の安定度を増大させることができると共に、包装装置の積み上げ保管時において安定性が高まり、多段積みが可能となる。また、スライド支柱２５が伸縮可能に構成されているので、高さ調整が可能であり、包装装置の共用化が著しく向上し、利用価値が向上する。
【００５７】
また、取付キー５２によって、下部固定部材３と上部固定部材４にスライド支柱３８の両端を着脱可能に取付けるので、短時間で下部固定部材３と上部固定部材４を結束することができる。
【００５８】
また、略Ｕ字状スリーブ３５と、取付キー５２を有するスライド支柱３８を一体に固定し、略Ｕ字状スリーブ３５には、薄型テレビ受像機２のフレームと係合し支える凹部３７が形成された折曲片３６が形成されているので、下部固定部材３に片側のスライド支柱３８を固定し、薄型テレビ受像機２を載置して、フレームと凹部３７を係合させることで、載置した薄型テレビ受像機２を支えることができる。従って、両サイドの凹部３７をフレームと係合させることで、より安定して薄型テレビ受像機２を包装することができる。
【符号の説明】
【００５９】
１    包装装置
２    薄型テレビ受像機
３    下部固定部材
３Ａ  下部中央構成体
３Ｂ  下部左構成体
３Ｃ  下部右構成体
４    上部固定部材
４Ａ  上部中央構成体
４Ｂ  上部左構成体
４Ｃ  上部右構成体
５    結束バンド
６    下部左緩衝部材
７    下部中央緩衝部材
８    下部右緩衝部材
９    下部中央構成体の底板
１０    凹部
１１    貫通孔
１２    スリット孔
１３    下部中央構成体の側板
１４    雌型面ファスナー
１５    スライド固定部材
１６    下部右構成体の底板
１７    逆Ｌ字状突出片
１８    下部右構成体の側板
１８Ａ  妻板
１９    雄型面ファスナー
２０    結合ピン
２１    ストッパー
２２    上部左緩衝部材
２３    上部中央緩衝部材
２４    上部右緩衝部材
２５    収納部
２６    付属箱
２６Ａ  付属箱固定片
２７    ガイドバー取付部
２８    角孔
２９    ガイドバー取付部
３０    窪み部
３１    膨出部
３２    スライド孔
３３    結合穴
３４    ガイドバー
３４Ａ  ガイドバー本体
３４Ｂ  パイプ
３４Ｃ  摘み部
３４Ｄ  回転ロック部
３５    略Ｕ字状スリーブ
３６    折曲片
３７    凹部
３８    スライド支柱
３９    支柱本体
４０    スライドパイプ
４１    結合部材
４２    波形２段の凹部
４３    結合ピン
４４    結合孔
４５    波形２段の凹部
４６    貫通孔
４７    第１の結合枠
４８    第２の結合枠
４９    切欠き部
５０    波形１段の凸部
５１    凹部
５２    取付キー
５３    膨出部
５４    結合孔
５５    取付部材
５６    取付部材本体
５６Ａ  ネジ
５７    ネジ穴
５８    摘み部
５９    ネジ部
６０    係合部
６１    ２段目本体
６２    ３段目本体
６３    突出片
６４    結合具
６５    結合孔
６６    間隔保持材
６７    保護部材
６８    ウレタンフィルム
６９    台部
【図１】
2010208642.tif 000003
【図２】
2010208642.tif 000004
【図３】
2010208642.tif 000005
【図４】
2010208642.tif 000006
【図５】
2010208642.tif 000007
【図６】
2010208642.tif 000008
【図７】
2010208642.tif 000009
【図８】
2010208642.tif 000010
【図９】
2010208642.tif 000011
【図１０】
2010208642.tif 000012
【図１１】
2010208642.tif 000013
【図１２】
2010208642.tif 000014
【図１３】
2010208642.tif 000015
【図１４】
2010208642.tif 000016
【図１５】
2010208642.tif 000017
【図１６】
2010208642.tif 000018
【図１７】
2010208642.tif 000019
【図１８】
2010208642.tif 000020
【図１９】
2010208642.tif 000021
【図２０】
2010208642.tif 000022
【図２１】
2010208642.tif 000023
【図２２】
2010208642.tif 000024
【図２３】
2010208642.tif 000025
【図２４】
2010208642.tif 000026
【図２５】
2010208642.tif 000027
【図２６】
2010208642.tif 000028
【図２７】
2010208642.tif 000029
【図２８】
2010208642.tif 000030
【図２９】
2010208642.tif 000031
【図３０】
2010208642.tif 000032
【図３１】
2010208642.tif 000033
【図３２】
2010208642.tif 000034
【図３３】
2010208642.tif 000035
【図３４】
2010208642.tif 000036
【図３５】
2010208642.tif 000037
【図３６】
2010208642.tif 000038
【図３７】
2010208642.tif 000039